(57)【要約】【課題】個人情報の流出を抑制し、セキュリティを向上させることができる、生体データ管理方法を提供する。【解決手段】患者を識別する患者識別情報をサーバ３に登録し、患者ごとに割り当てられ患者の生体データを測定する測定機器１の測定機器識別情報を、患者識別情報と関連付けてサーバ３に登録する。また、患者の生体データを測定機器１で測定して測定データを取得し、測定データと測定機器識別情報とを測定機器１からサーバ３に送信し、測定データを測定機器識別情報と関連付けてサーバ３に登録する。【選択図】図２
2015008913.tif 000002
【特許請求の範囲】
【請求項１】
患者を識別する患者識別情報をセンター装置に登録し、
前記患者ごとに割り当てられ前記患者の生体データを測定する測定機器を識別する測定機器識別情報を、前記患者識別情報と関連付けて前記センター装置に登録し、
前記患者の前記生体データを前記測定機器で測定して測定データを取得し、
前記測定データと前記測定機器識別情報とを前記測定機器から専用端末を介して前記センター装置に送信し、
前記測定データを前記測定機器識別情報と関連付けて前記センター装置に登録する、生体データ管理方法であって、
前記専用端末は、前記患者識別情報をセンター装置に登録する際と前記測定機器識別情報を前記センター装置に登録する際にのみ前記患者識別情報を前記センター装置に送信する、生体データ管理方法。
【請求項２】
患者を識別する患者識別情報をセンター装置に登録し、
前記患者ごとに割り当てられ前記患者の生体データを測定する測定機器を識別する測定機器識別情報を、前記患者識別情報と関連付けて前記センター装置に登録し、
前記患者の前記生体データを前記測定機器で測定して測定データを取得し、
前記測定データと前記測定機器識別情報とを前記測定機器から前記センター装置に送信し、
前記測定データを前記測定機器識別情報と関連付けて前記センター装置に登録する、生体データ管理方法。
【請求項３】
前記患者識別情報をセンター装置に登録する際と、前記測定機器識別情報を前記センター装置に登録する際にのみ、前記センター装置は前記患者識別情報を受信する、請求項２に記載の生体データ管理方法。
【請求項４】
患者ごとに割り当てられ、前記患者の生体データを測定して測定データを取得する測定機器と、
前記患者を識別する患者識別情報と、前記測定機器を識別する測定機器識別情報と、前記測定データとを登録するセンター装置と、を備え、
前記測定機器は、前記センター装置に対して前記測定データと前記測定機器識別情報とを送信し、前記センター装置は、受信した前記測定データと前記測定機器識別情報とを関連付けて格納し、また、前記センター装置は、前記患者識別情報と前記測定機器識別情報とを関連付けて格納する、生体データ管理システム。
【請求項５】
前記センター装置は、前記患者識別情報をセンター装置に登録する際と、前記測定機器識別情報を前記センター装置に登録する際にのみ、前記患者識別情報を受信する、請求項４に記載の生体データ管理システム。
【請求項６】
前記測定機器から送信される前記測定データを受信し、前記測定機器の識別情報と受信した前記測定データとを前記センター装置に送信する専用端末を更に備え、前記専用端末は、前記患者識別情報をセンター装置に登録する際と、前記測定機器識別情報を前記センター装置に登録する際にのみ、前記患者識別情報を前記センター装置に送信する、請求項４に記載の生体データ管理システム。
【請求項７】
固有の識別情報が付与されており、割り当てられた患者の生体データを測定して測定データを取得し、前記測定データと前記識別情報とを組みにして、前記患者の識別情報が格納されたセンター装置に送信する、生体データ測定機器。
【請求項８】
患者の生体データを測定して取得した測定データと前記生体データを測定した測定機器を識別する測定機器識別情報とを関連付けて登録し、また、前記測定機器が割り当てられた前記患者を一意に識別する患者識別情報と前記測定機器識別情報とを関連付けて登録する、センター装置。
【請求項９】
前記患者識別情報を登録する際と前記測定機器識別情報を登録する際にのみ、前記患者識別情報を受信する、請求項８に記載のセンター装置。
【発明の詳細な説明】
【技術分野】
【０００１】
本実施形態は、生体データ管理方法、生体データ管理システム、生体データ測定機器、並びにセンター装置に関する。
【背景技術】
【０００２】
従来、医療施設においては、入院患者の健康状態を把握する目的で、体温や血圧、血糖値などの各種バイタルデータ（患者の生体データ）の測定・収集及び管理を行っている。具体的には、看護師などが病室を巡回して、患者ごとに測定された上記のような生体データを、所定の用紙などに記録する。そして、記録した生体データを、パソコンなどの電子端末に手動で入力して所定のサーバに送信し、蓄積・管理している。
【０００３】
記録した生体データをサーバに送信する際、該生体データがどの患者のものであるかを識別するために、生体データと共に患者の個人情報（例えば、患者名や患者ＩＤなど）を送信する必要があった。しかしながら、患者の個人情報を頻繁に通信することは、個人情報流出の可能性が高まるため、セキュリティ上問題があった。
【先行技術文献】
【特許文献】
【０００４】
【特許文献１】特開２００６−３４０９５２号公報
【特許文献２】特開２００５−３４５４７号公報
【特許文献３】特開２０１１−１７２６７４号公報
【特許文献４】特開２００８−４３７０２号公報
【特許文献５】特開２００３−２９９６２４号公報
【発明の概要】
【発明が解決しようとする課題】
【０００５】
本実施形態は、個人情報の流出を抑制し、セキュリティを向上させることができる、生体データ管理方法を提供することを目的とする。
【課題を解決するための手段】
【０００６】
本実施形態の生体データ管理方法は、患者を識別する患者識別情報をセンター装置に登録し、前記患者ごとに割り当てられ前記患者の生体データを測定する測定機器を識別する測定機器識別情報を、前記患者識別情報と関連付けて前記センター装置に登録する。前記患者の前記生体データを前記測定機器で測定して測定データを取得し、前記測定データと前記測定機器識別情報とを前記測定機器から前記センター装置に送信し、前記測定データを前記測定機器識別情報と関連付けて前記センター装置に登録する。
【図面の簡単な説明】
【０００７】
【図１】本発明の実施形態に係わる生体データ管理システムの構造を説明する概略ブロック図。
【図２】測定データをサーバ３に登録する手順を説明するフローチャート。
【図３】サーバ３に格納される測定データと機器ＩＤとの対応表の一例を説明する図。
【図４】機器ＩＤをサーバ３に登録する手順を説明するフローチャート。
【図５】サーバ３に格納される機器ＩＤとユーザＩＤとの対応表の一例を説明する図。
【図６】ユーザＩＤ、機器ＩＤ及び測定データの一覧表の一例を説明する図。
【発明を実施するための形態】
【０００８】
以下、図面を参照して実施形態を説明する。
【０００９】
図１は、本実施形態に係わる生体データ管理システムの構造を説明する概略ブロック図である。図１に示すように、本実施形態の生体データ管理システムは、患者の生体データを測定する測定機器１と、測定機器１で測定されたデータ（以下、測定データと示す）をサーバ３へ送信する、専用端末としての携帯端末２と、測定データを蓄積するセンター装置としてのサーバ３とから構成されている。
【００１０】
測定機器１は、携帯端末２に測定データを送信する送信部１１と、測定に関する指示を設定するための入力部１２と、生体データを測定する測定部１３とを備えている。また、測定機器１は、測定データなどを表示する表示部１４と、測定機器１内部の各部位の動作を制御する制御部１５と、メモリ１６、１７とを備えている
入力部１２は、測定機器１の電源のオン・オフを指示したり、測定条件を設定したり、携帯端末２への測定データの送信指示（送信条件）の設定をしたりすることができる。例えば、入力部１２は、スライド式の切替スイッチや、プッシュ式のボタンなどで構成される。表示部１４には、測定データの他に、測定日時や過去の履歴、電池残量なども表示させてもよい。なお、表示部１４は必要に応じて設ければよく、省略してもよい。
【００１１】
メモリ１６は、過去の測定データの履歴や測定条件、測定機器１から携帯端末２へ測定データを送信するタイミング情報などが格納されており、例えばＤＲＡＭやＳＲＡＭなど書き換え可能なメモリが用いられる。メモリ１７は、個々の測定機器１を一意に識別する情報（測定機器識別情報、例えば機器ＩＤなど）が格納されており、例えばＥＥＰＲＯＭやフラッシュメモリ、マスクＲＯＭなど書き換えができないメモリが用いられる。
【００１２】
個々の測定機器１を一意に識別する情報は、機器ＩＤに限定されるものでなく、例えばPhysical Unclonable Function（ＰＵＦ）や、未初期化状態でのメモリの情報などを用いてもよい。測定機器１を一意に識別する情報として機器ＩＤを用いる場合、該機器ＩＤは、製造過程や出荷時など、少なくとも測定機器１を患者に貸与するより前に、測定機器１に登録される。
【００１３】
なお、本実施形態の生体データ管理システムでは、例えば、体温、血圧、血糖値などの生体データが管理される。この場合の測定機器１の具体例としては、体温計、血圧計、血糖値測定器などがあげられる。また、本実施形態において、個々の測定機器１は特定の患者専用に割り当てられて、他の患者が使用することはないものとする。従って、患者を特定すれば、該患者が使用している測定機器１が特定され、逆に、測定機器１を特定すれば、該測定機器１を使用している患者が特定される。
【００１４】
携帯端末２は、携帯可能なＰＣ（例えば、タブレットＰＣやスマートフォン）や、測定データ送受信のための専用の端末が用いられる。携帯端末２は、測定機器１及びサーバ３との間で測定データを通信する通信部２１ａ、２１ｂと、サーバ３への測定データの送信指示（送信条件）を設定するための入力部２２と、測定機器１やサーバ３との通信状況などを表示する表示部２３とを備えている。また、携帯端末２は、携帯端末２内部の各部位の動作を制御する制御部２４と、測定データやサーバ３への送信指示（送信条件）などを記憶するメモリ２５とを備えている。
【００１５】
入力部２２は、例えばタッチパネルなどで構成されている。また、メモリ２５は、例えばＤＲＡＭやＳＲＡＭなど書き換え可能なメモリが用いられる。なお、携帯端末２は、可搬式の端末に限定されるものではなく、例えばデスクトップＰＣなど固定装置でもよい。また、測定データ専用の端末でなくてもよく、例えば病院内のその他のデータの送受信にも用いられる共用端末を用いてもよい。
【００１６】
サーバ３には、測定データや測定機器１の情報、患者の情報などの各種データが格納されている。サーバ３には、患者と、患者が使用している測定機器１が関連付けられて格納されている。また、サーバ３には、測定機器１と測定データとが関連付けられて格納されている。従って、患者を特定すると、該患者の測定データが抽出できるようになされている。
【００１７】
なお、測定機器１と携帯端末２との間のデータの送受信、及び、携帯端末２とサーバ３との間のデータの送受信は、赤外線やブルートゥースなどの無線通信で行ってもよいし、送信部１１と通信部２１ａ、通信部２１ｂとサーバ３の図示しない通信インタフェースを、それぞれケーブルで接続して有線通信で行ってもよい。また、片方の通信（例えば、測定機器１と携帯端末２との通信）を無線で行い、他方の通信（例えば、携帯端末２とサーバ３との通信）を有線で行ってもよい。更に、無線通信と有線通信を切り替えて行うように構成してもよい。
【００１８】
次に、サーバ３に各種情報・データを登録する手順、すなわち、本実施形態に係わる生体データ管理方法について説明する。サーバ３に登録するのは、上述のように、患者の情報、測定データ、及び、測定機器１の情報である。まず、患者の情報の登録について説明する。サーバ３に登録する患者の情報とは、例えば、患者名などの個人情報と、患者を一意に識別するＩＤ（患者識別情報、以下、ユーザＩＤと示す）である。情報の登録は、サーバ３に直接情報を書き込んでもよいし、携帯端末２からサーバ３に情報を送信・登録してもよい。また、携帯端末２以外の端末（例えば、病院のシステム共用端末）を用いて登録してもよい。
【００１９】
患者の情報をサーバ３に登録すると、ユーザＩＤを用いてサーバ３にアクセスすることが可能となり、サーバ３に登録されている測定データのうちユーザＩＤに関連する測定データのみを閲覧することができる。（すなわち、ユーザＩＤは、生体データ管理システムへのログインＩＤとなる。）
次に、測定データをサーバ３に登録する手順を説明する。図２は、測定データをサーバ３に登録する手順を説明するフローチャートである。まず、ステップＳ１において、測定機器１を用いて患者の生体データを測定する。なお、上述のように、個々の測定機器１は特定の患者専用の機器であり、他の患者に用いられることはないものとする。
【００２０】
次に、ステップＳ２に進み、測定機器１を特定する情報（以下の説明では、一例として、機器ＩＤを用いる）と、測定データを携帯端末２へ送信する。測定機器１には、携帯端末２に対して測定データ等を送信するタイミングとして、自動的に送信するモードと、手動で送信するモードの２種類の送信モードが設けられている。そして、生体データの測定に先だって、いずれかのモードが選択され、メモリ１７に設定されている（モードの選択や、自動送信モードにおける送信タイミングの設定情報については、入力部１２を介してメモリ１７に登録しておく）。従って、ステップＳ２は、測定機器１に設定されている送信モードに従って実行される。
【００２１】
例えば、測定機器１に自動送信モードが選択されており、生体データの測定が終了すると直ちに携帯端末２への送信が開始されるように送信タイミングが設定されている場合、ステップＳ１が実行されると直ちにステップＳ２も実行される。また、例えば自動送信モードが選択されており、決められた時間（例えば朝８時、昼１２時、夜７時、など）に携帯端末２への送信が開始されるように送信タイミングが設定されている場合、ステップＳ１が終了しても、所定の時間になるまではステップＳ２は実行されずに送信待機状態となる。
【００２２】
なお、送信待機状態の間に、同じ測定機器１で生体データの再測定が行われる場合、例えば、測定機器１に既に格納されている未送信の測定データを、再測定により取得した測定データに置換する。所定の時間になると、再測定により取得した測定データを携帯端末２に送信する。あるいは、測定データの置換を行わずに、測定機器１に既に格納されている未送信の測定データと再測定により取得した測定データとの両方をメモリ１６に格納しておき、所定の時間になると、メモリ１６に格納されている全ての未送信の測定データを携帯端末２に送信するようにしてもよい。
【００２３】
また、モードが選択されていない場合や、手動送信モードが選択されている場合、看護師などが入力部１１からデータ送信指示を入力するまでは、ステップＳ２は実行されずに送信待機状態となる。
【００２４】
測定データが測定機器１から携帯端末２へ送信されると、携帯端末２は、受信した測定データと、測定データの送信元の測定機器１の機器ＩＤとを、サーバ３へ送信する（ステップＳ３）。携帯端末２からサーバ３へのデータの送信タイミングも、上述した測定機器１と同様に、自動送信モードと手動送信モードが設けられている。
【００２５】
なお、送信待機状態の間に、測定機器１から測定データが携帯端末２に送信される場合、携帯端末１に既に格納されている未送信の測定データを、測定機器１から新たに送信された測定データに置換する。所定の時間になると、新たに取得した測定データをサーバ３に送信する。あるいは、測定データの置換を行わずに、携帯端末２に既に格納されている未送信の測定データと測定機器１より新たに送信された測定データとの両方をメモリ２５に格納しておき、所定の時間になると、メモリ２５に格納されている全ての未送信の測定データをサーバ３に送信するようにしてもよい。
【００２６】
携帯端末２は、予め設定されたモードに従って、機器ＩＤと測定データをサーバ３へ送信する。なお、送信する測定データを、サーバ３に既に登録されている測定データと置換する（上書きする）場合、置換の指示もデータと一緒に送信する。
【００２７】
続いてサーバ３は、受信した測定データを、機器ＩＤに関連付けて登録する。サーバ３には、例えば、図３に示すように、機器ＩＤと測定データとが関連付けて登録される。図３は、サーバ３に格納される測定データと機器ＩＤとの対応表の一例を説明する図である。
【００２８】
まずサーバ３は、受信した機器ＩＤの検索を行う（ステップＳ４）。そして、受信した機器ＩＤが登録されているか否かを判定する（ステップＳ５）。機器ＩＤが登録されていない場合、受信した測定データを、未登録の測定機器により測定されたものとして登録する（ステップＳ６）。
【００２９】
具体的には、例えば、図３に示す表において、受信した機器ＩＤの行を作成し、当該行における測定データの列に受信した測定データを書き込む。そして、未登録の測定機器により測定されたデータであることが識別できるように、未登録機器を表すフラグを付与する。また、例えば、機器ＩＤが登録されている測定機器１からの測定データを格納する表と、機器ＩＤが未登録の測定機器１からの測定データを格納する表とを別々に設け、受信した機器ＩＤが登録されていない場合は、機器ＩＤが未登録の測定機器１からの測定データを格納する表に測定データを書き込むようにしてもよい。
【００３０】
一方、機器ＩＤが登録されている場合、既に登録されている測定データと、受信した測定データとを置換するか否かを判定する（ステップＳ７）。携帯端末２から測定データの置換指示を受信していない場合、ステップＳ８に進み、測定データを機器ＩＤと関連付けて登録する。
【００３１】
ステップＳ７において、携帯端末２から測定データの置換指示を受信している場合、ステップＳ９に進み、既に登録されている測定データを削除して、受信した測定データを機器ＩＤと関連付けて登録する。例えば具体的には、図３に示す表の機器ＩＤの列から受信した機器ＩＤに該当するセルを抽出する。当該セルを含む行の測定データのセルの内容を、受信した測定データで上書きする。
【００３２】
ステップＳ６、Ｓ８、Ｓ９において、測定データの登録が完了したら、ステップＳ１０に進み、携帯端末２に対し、受信した測定データの登録が完了した旨の通知を行う。このとき、未登録の機器ＩＤからの測定データを登録した場合、サーバ３から携帯端末２に対して、登録完了の通知と共に、機器ＩＤが未登録である旨の通知を行ってもよい。携帯端末２は、サーバ３から登録完了通知を受信したら、表示部２３に登録完了メッセージを表示させる（ステップＳ１１）。以上の一連の処理により、測定機器１により測定した生体データのサーバ３への登録が終了する。
【００３３】
なお、図２において、ステップＳ１、Ｓ２は、主に測定機器１に係わる手順であり、ステップＳ３、Ｓ１１は、主に携帯端末２に係わる手順である。また、ステップＳ４〜ステップＳ１０は、主にサーバ３に係わる手順である。
【００３４】
上述した手順では、機器ＩＤと対応付けて測定データを登録する手順を説明したが、登録するデータは測定データのみでなく、測定データに付随した情報（例えば測定日時など）も一緒に送信し、測定データと対応付けて登録してもよい。
【００３５】
最後に、サーバ３に機器ＩＤを登録する手順について説明する。図４は、機器ＩＤをサーバ３に登録する手順を説明するフローチャートである。まず、ステップＳ２１において、携帯端末２にユーザＩＤを入力してサーバ３にアクセスする（生体データ管理システムへのログインを行う）。次に、登録を行う測定機器１から携帯端末２へ機器ＩＤを送信する（ステップＳ２２）。携帯端末２は、受信した機器ＩＤと、ユーザＩＤとをサーバ３へ送信する（ステップＳ２３）。
【００３６】
サーバ３は、受信した機器ＩＤをユーザＩＤに関連付けて登録する（ステップＳ２４）。サーバ３には、例えば、図５に示すように、ユーザＩＤと機器ＩＤとが関連付けて登録される。図５は、サーバ３に格納される機器ＩＤとユーザＩＤとの対応表の一例を説明する図である。
【００３７】
機器ＩＤの登録が完了したら、ステップＳ２５に進み、携帯端末２に対し、受信した機器ＩＤの登録が完了した旨の通知を行う。携帯端末２は、サーバ３から登録完了通知を受信したら、表示部２３に登録完了メッセージを表示させる（ステップＳ２６）。以上の一連の処理により、機器ＩＤのサーバ３への登録が終了する。
【００３８】
なお、図４に示す手順では、携帯端末２を用いて機器ＩＤの登録を行っているが、これに限定されるものでなく、例えば、サーバ３に接続されている他の端末を用いてもよいし、サーバ３に直接書き込みを行うなどしてもよい。
【００３９】
また、機器ＩＤの登録は、測定データの登録よりも後にする必要はなく、測定データの登録に先だって行ってもよいし、同一のタイミングで行ってもよい。例えば、未登録の測定機器１を用いて生体データを測定する際に、初回測定時に機器ＩＤと測定データとを同時にサーバ３に登録することと同一のタイミングで、機器ＩＤの登録をすることも可能である。ただし、ユーザＩＤは、機器ＩＤと測定データに先立ちサーバ３に登録しておく必要がある。
【００４０】
更に、ユーザＩＤと機器ＩＤの対応表と、機器ＩＤと測定データの対応表は、図６に示すような一つの表にまとめてサーバ３に格納してもよい。図６は、ユーザＩＤ、機器ＩＤ及び測定データの一覧表の一例を説明する図である。
【００４１】
このように、本実施形態によれば、測定データをサーバ３に登録する際に、機器ＩＤと測定データとを同時に登録することと同一のタイミングで機器ＩＤの登録を行う場合を除き、患者の個人情報であるユーザＩＤを測定データと一緒に送信する必要がないため、個人情報の流出を抑制することができ、セキュリティを向上させることができる。
【００４２】
また、本実施形態によれば、測定機器１で測定した生体データを、電子データの状態で携帯端末２を介してサーバ３へ送信し、登録する。従って、従来のように看護師が測定データを所定の用紙に記入し、電子端末に入力する手間を省くことができ、作業効率を向上させることができる。更に、人手でデータを入力する必要がないため、入力ミスを防ぐことができ、データの信頼性が向上することができる。
【００４３】
なお、上述した一例では、測定機器１で測定した生体データを、携帯端末２を介してサーバ３に登録しているが、必ずしも携帯端末２を介する必要はない。すなわち、測定機器１とサーバ３とを無線、または有線で直接接続し、測定機器１からサーバ３へ測定データを送信、登録してもよい。
【００４４】
本明細書における各「部」は、実施の形態の各機能に対応する概念的なもので、必ずしも特定のハードウェアやソフトウエア・ルーチンに１対１には対応しない。従って、本明細書では、実施の形態の各機能を有する仮想的回路ブロック（部）を想定して実施の形態を説明した。
【００４５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４６】
１…測定機器、２…携帯端末、３…サーバ、１１…送信部、１２、２２…入力部、１３…測定部、１４、２３…表示部、１５、２４…制御部、１６、１７、２５…メモリ、２１ａ、２１ｂ…通信部、
【図１】
2015008913.tif 000003
【図２】
2015008913.tif 000004
【図３】
2015008913.tif 000005
【図４】
2015008913.tif 000006
【図５】
2015008913.tif 000007
【図６】
2015008913.tif 000008